(57)【特許請求の範囲】
【請求項１】
挿入されるＩＣカードをガイドするガイドベースと、
前記挿入されるＩＣカードを一部に当接させて前記ガイドベースに沿って所定位置まで移動するスライダと、
このスライダに一端側が回動自在に支持され、他端一面側に前記ＩＣカードのＩＣ接点に接離する接触子を有した回動レバーと、
この回動レバーの他端他面側に形成されたカム面と、
前記回動レバーをその他端側の接触子が前記ガイドベースから離間する方向に付勢する付勢部材と、
前記スライダが所定位置に向って移動される際、前記回動レバーのカム面を摺接させて前記回動レバーを前記付勢部材の付勢力に抗して回動させ、前記接触子をＩＣカードのＩＣ接点に平行に対向させて接触させる摺接部材と、
前記スライダの移動方向先端側に設けられた差込片及び前記ガイドベースに形成され、前記スライダが所定位置に移動されたとき、前記差込片を差し込ませる被差込部を有し、前記差込片が被差込部に差し込まれたとき、前記回動レバーの接触子がＩＣカードのＩＣ接点に最適な圧力で圧接するように前記スライダを前記ＩＣカード方向に向って平行に移動させて位置決めする位置決め手段と、
を具備することを特徴とするカード処理装置。
【請求項２】
メインベースと、
このメインベースの一面側に離間対向して設けられ、挿入されるＩＣカードをガイドするガイドベースと、
前記メインベースの他面側に設けられ、前記挿入されるＩＣカードの先端部を一部に当接させて所定位置まで移動するスライダと、
このスライダに一端側が回動自在に支持され、他端一面側に前記ＩＣカードのＩＣ接点に接離する接触子を有した回動レバーと、
この回動レバーの他端他面側に形成されたカム面と、
前記回動レバーをその他端側の接触子が前記ガイドベースから離間する方向に付勢する付勢部材と、
前記スライダが所定位置に向って移動される際、前記回動レバーのカム面に摺接して前記回動レバーを前記付勢部材の付勢力に抗して回動させ、前記接触子をＩＣカードのＩＣ接点に平行に対向させて接触させる摺接部材と、
前記スライダの移動方向先端側に設けられた差込片及び前記ガイドベースに形成され、前記スライダが所定位置に移動されたとき、前記差込片を差し込ませる被差込部を有し、前記差込片が被差込部に差し込まれたとき、前記回動レバーの接触子がＩＣカードのＩＣ接点に最適な圧力で圧接するように前記スライダを前記ＩＣカード方向に向って平行に移動させて位置決めする位置決め手段と、
を具備することを特徴とするカード処理装置。
【発明の詳細な説明】
【０００１】
【発明の属する技術分野】
本発明は、例えば、銀行カード、電話カード、クレジットカード等のＩＣカードの取り引き情報をデータ処理するカード処理装置に関する。
【０００２】
【従来の技術】
この種のカード処理装置としては、例えば、特許第２６４１２４８号、或いは特公平７−９２８２２号等に開示されるものがある。
【０００３】
特許第２６４１２４８号に開示されるものは、装置の前面部にカード挿入口を有し、装置の内部にはそのベースに対し傾斜する状態でレール部を設け、このレール部にスライド自在に接触子ヘッドを取り付けている。
【０００４】
カード挿入口からカードが挿入されると、その挿入端が接触子ヘッドの当接部に当接され、接触子ヘッドがカードの挿入に伴ってレール部に沿って移動しながら下降される。これにより、接触子ヘッドが所定位置に至ると、その接触子がカードのＩＣ接点に圧接されて情報処理が可能な状態となる。
【０００５】
また、特公平７−９２８２２号等に開示されるものは、装置の前面部にカード挿入口を有し、装置の内部にはスライドブロックを移動自在に設けている。スライドブロックには、接触子を備えた傾動レバーが回動自在に取付けられている。
【０００６】
カードが挿入口から挿入されると、その挿入端がスライドブロックに当接されてスライドブロックが移動される。この移動により、スライドブロックが所定位置に至ると、傾動レバーが下方に回動されてその接触子をカードのＩＣ接点に圧接されて情報処理が可能な状態になる。
【０００７】
【発明が解決しようとする課題】
しかしながら、特許第２６４１２４８号に開示されるものは、傾斜するレール部に沿って接触子ヘッドを斜めに移動させるため、接触子ヘッドの進行方向の位置によりカードとの間のクリアランスにばらつきが生じ易い。
【０００８】
このため、接触子ヘッドの接触子とカードのＩＣ接点との接触圧がばらつき、良好に情報処理することができなくなる虞がある。
【０００９】
また、接触子を斜め方向に移動させるため、上下方向に大きなスペースが必要になり、装置を薄型化できなくなるという問題があった。
【００１０】
一方、特公平７−９２８２２号等に開示されるものは、所定位置で傾動レバーを下方に回動させて接触子をＩＣ接点に圧接させるため、特許第２６４１２４８号に開示されるもののように、接触子ヘッドの接触子とカードのＩＣ接点との間のクリアランスにばらつきが生じることがなく、良好に接触させることができ、また、上下方向に大きなスペースを必要とすることがなく、装置を薄型化できる利点がある。
【００１１】
しかしながら、特公平７−９２８２２号等に開示されるものは、傾動レバーを傾動させるためのカムを別途特別に必要とするため、部品点数が多くなり、構成的に複雑化するとともに、コスト高になる。
【００１２】
また、接触子ヘッドの接触子とカードのＩＣ接点とを所定の圧力で接触できるようにするため、スライドブロックを上下方向にガタがないようにガイドしている。このため、カードの挿入力が大きく必要となり、軽いタッチでカードを挿入させることができず、操作性が悪いという問題あった。
【００１３】
本発明は上記実情に鑑みなされたもので、接触子を備える回動レバーを回動させるためのカムを別途特別に必要とすることなく回動でき、また、カードを軽い力でスムースに挿入できるようにしたカード処理装置を提供することを目的とする。
【００１７】
【課題を解決するための手段】
上記課題を解決するため、請求項１記載の発明は、挿入されるＩＣカードをガイドするガイドベースと、前記挿入されるＩＣカードを一部に当接させて前記ガイドベースに沿って所定位置まで移動するスライダと、このスライダに一端側が回動自在に支持され、他端一面側に前記ＩＣカードのＩＣ接点に接離する接触子を有した回動レバーと、この回動レバーの他端他面側に形成されたカム面と、前記回動レバーをその他端側の接触子が前記ガイドベースから離間する方向に付勢する付勢部材と、前記スライダが所定位置に向って移動される際、前記回動レバーのカム面を摺接させて前記回動レバーを前記付勢部材の付勢力に抗して回動させ、前記接触子をＩＣカードのＩＣ接点に平行に対向させて接触させる摺接部材と、前記スライダの移動方向先端側に設けられた差込片及び前記ガイドベースに形成され、前記スライダが所定位置に移動されたとき、前記差込片を差し込ませる被差込部を有し、前記差込片が被差込部に差し込まれたとき、前記回動レバーの接触子がＩＣカードのＩＣ接点に最適な圧力で圧接するように前記スライダを前記ＩＣカード方向に向って平行に移動させて位置決めする位置決め手段とを具備する。
【００１９】
請求項２記載の発明は、メインベースと、このメインベースの一面側に離間対向して設けられ、挿入されるＩＣカードをガイドするガイドベースと、前記メインベースの他面側に設けられ、前記挿入されるＩＣカードの先端部を一部に当接させて所定位置まで移動するスライダと、このスライダに一端側が回動自在に支持され、他端一面側に前記ＩＣカードのＩＣ接点に接離する接触子を有した回動レバーと、この回動レバーの他端他面側に形成されたカム面と、前記回動レバーをその他端側の接触子が前記ガイドベースから離間する方向に付勢する付勢部材と、前記スライダが所定位置に向って移動される際、前記回動レバーのカム面に摺接して前記回動レバーを前記付勢部材の付勢力に抗して回動させ、前記接触子をＩＣカードのＩＣ接点に平行に対向させて接触させる摺接部材と、前記スライダの移動方向先端側に設けられた差込片及び前記ガイドベースに形成され、前記スライダが所定位置に移動されたとき、前記差込片を差し込ませる被差込部を有し、前記差込片が被差込部に差し込まれたとき、前記回動レバーの接触子がＩＣカードのＩＣ接点に最適な圧力で圧接するように前記スライダを前記ＩＣカード方向に向って平行に移動させて位置決めする位置決め手段とを具備する。
【００２０】
【発明の実施の形態】
以下、本発明を図面に示す一実施形態を参照して説明する。
【００２１】
図１はカード処理装置を示す平面図で、図２はその側断面図である。
【００２２】
図中１はメインベースで、このメインベース１の上面側には板金製のスライダ２がスライド自在に設けられ、下面側にはＩＣカードＫを案内保持するガイドベースとしてのサブベース３が所定間隔を存して設けられている。メインベース１とサブベース３との間にはカード挿入路９が形成され、その一端側にはカード挿入口３２が形成されている。
【００２３】
スライダ２の上面部には回動レバー１１が設けられ、この回動レバー１１は一端側が支軸１０を介して回動自在に支持されている。回動レバー１１の他端側の下面部には接触子１２が設けられ、この接触子１２はスライダ２に形成された開口部２ａに対向されている。そして、回動レバー１１の他端側の上面両側部にはカム面１１ａ，１１ａが形成されている。カム面１１ａ，１１ａは傾斜面１１ｂとこの径斜面１１ｂに連続する水平面１１ｃとからなる。
【００２４】
メインベース１には所定間隔を存して離間対向する一対の起立片４，４が形成されている。これら起立片４，４はスライダ２の開口部２ａを通って上方へ突出され、その板面にはピン体４ａ，４ａが突設されている。
【００２５】
回動レバー１１の支軸１０の一端側には付勢部材としてのバネ材４０が巻き付けられている。このバネ材４０により、回動レバー１１は上方へ回動するように付勢されている。この付勢により、回動レバー１１のカム面１１ａ，１１ａがピン体４ａ，４ａに当接し、上方への回動が規制されている。
【００２６】
スライダ２の一側部にはその移動方向に沿って長孔２ｂ，２ｂが穿設されている。メインベース１には長孔２ｂ，２ｂに挿入されてスライダ２の一側部をガイドする第１のガイドネジ４２，４２が取付けられているとともに、スライダ２の他側部をガイドする第２のガイドネジ４３が取付けられている。また、メインベース１には回動レバー１１の接触子１２をスライダ２の開口部２ａを介してカード挿入路９に出入させるための開口部１ａが形成されている。
【００２７】
ところで、スライダ２の先端下面側には図２に示すように、ＩＣカードＫの先端部を当接させるための当接片３６が一体に形成されている。そして、この当接片３６の下部側には水平部３７ａと傾斜部３７ｂとからなる差込片３７が一体に形成されている。
【００２８】
サブベース３の先端側には差込片３７を差し込ませるための被差込部としての段部３８が一体に形成されている。この段部３８と差込片３７とにより、回動レバー１１の接触子１２をＩＣカードＫのＩＣ接点に対し最適な圧力で接触するように位置決めするための位置決め手段が構成されている。
【００２９】
一方、メインベース１のカード挿入口側の上面部には支軸５を介して操作レバー６が回動自在に取付けられている。操作レバー６の一端側には鉄心７が取付けられ、他端側には付勢部材としてのスプリング８の一端部が接続されている。スプリング８の他端部はスライダ２に接続されている。操作レバー６はスプリング８により、反時計方向に回動するように付勢され、また、スライダ２はＩＣカードＫを排出する方向に常に付勢されている。さらに、メインベース１の上面部には操作レバー６の鉄芯７を吸引保持するための保持手段としてのソレノイド１４が設けられている。
【００３０】
操作レバー６の支軸５にはロックレバー２６が同軸的に回動自在に取付けられている。ロックレバー２６と操作レバー６とはレバースプリング２７を介して接続され、ロックレバー２６は操作レバー６に対して時計方向に回動するように付勢されている。
【００３１】
操作レバー６の中途部には延出部６ａが形成され、この延出部６ａはスライダ２の上面部に離間対向されている。操作レバー６の延出部６ａとスライダ２との間にはプルレバー１６が設けられている。プルレバー１６は支軸１５を介してスライダ２に回動自在に取付けられ、バネ材１７により、時計方向に回動するように付勢され、後述するスライダ２の起立片２ｃに当接されてその回動が規制されている。
【００３２】
プルレバー１６の回動端側には突起体２０が突設され、操作レバー６の延出部６ａの先端部にはプルレバー１６の突起体２０に当接して押し上げられる段部６ｂが形成されている。
【００３３】
ロックレバー２６はスライダ２の上面部に対向され、スライダ２の上面部にはロックレバー２６の段部２６ａに係脱自在に係合されてスライダ２をロックする係合ピン２９が突設されている。
【００３４】
メインベース１上には所定位置に向って移動されてくるスライダ２を検知するフォトセンサ２２が設けられている。スライダ２の一側部には起立片２ｃが一体的に形成され、この起立片２ｃがフォトセンサ２２の光路を遮断することにより、スライダ２が所定位置に向って移動されてきたことが検知されるようになっている。
【００３５】
フォトセンサ２２には図３に示すように、信号路を介して制御手段２４が接続され、制御手段２４はフォトセンサ２２からの検知信号を受けることにより、ソレノイド１４に通電してロックレバー６の鉄心７を吸着させるようになっている。
【００３６】
ロックレバー２６の回動端には被検出片２６ｂが設けられ、ロックレバー２６の段部２６ｂに係合ピン２９が係合されてロックされたとき、被検出片２６ｂがフォトセンサ３０により光学的に検出されるようになっている。
【００３７】
フォトセンサ３０には図３に示すように、信号路を介して制御手段２４が接続され、制御手段２４はフォトセンサ３０からの検知信号を受けることにより、情報処理部３５を動作させるようになっている
次に、カード処理装置の動作について説明する。
【００３８】
図１及び図２に示すように、カード挿入口３２からカードＫが挿入されてその先端部がスライダ２の当接片３６に当接した状態からさらに押し込まれると、図４及び図５に示すように、スライダ２が同方向へ移動される。
【００３９】
このスライダ２の移動により、回動レバー１１のカム面１１ａ，１１ａがピン体４ａ，４ａに摺接して下方への力を受け、回動レバー１１はバネ材４０の付勢力に抗して下方に回動する。そして、スライダ２が所定距離移動すると、操作レバー６の延出部６ａの段部６ｂにプルレバー１６の突起体２０が当接して押し上げれる。これにより、操作レバー６がスプリング８の付勢力に抗して時計方向に回動する。また、このときには、スライダ２の起立片２ｃがフォトセンサ２２により検知され、この検知により、制御手段２４によりソレノイド１４に通電され、操作レバー６の鉄心７がソレノイド１４に吸引されて保持される。
【００４０】
この状態からカードＫがさらに、押し込まれて所定位置に至ると、図６及び図７に示すように、ロックレバー２６の一側面からスライダ２の係合ピン２９が外れる。これにより、ロックレバー２６がスプリング２７の付勢力により、上方へに回動され、ロックレバー２６の段部２６ａが係合ピン２９に係合されてロックされる。
【００４１】
また、このときには、プルレバー１６の突起体２０が操作レバー６の延出部６ａの段部６ｂを押し上げて通過する。
【００４２】
さらに、このときには、スライダ２の差込片３７の傾斜部３７ｂがサブベース３の段部３８の下端部に摺接しながら差し込まれたのち、水平部３７ａが段部３８の下面部に接合される。これにより、スライダ２が位置決めされ、回動レバー１１の接触子１２が最適な圧力でＩＣカードＫのＩＣ接点に接触される。
【００４３】
また、ロックレバー２６がロックされると、その回動端の被検出体２６ｂがフォトセンサ３０から離脱されてロックレバー２６のロックが光学的に検出される。この検出があると、制御手段２４はカードＫが所定位置に挿入されてそのＩＣ接点が接触子１２に接触されて情報処理が可能な状態であると判断し、情報処理部３５を動作させて情報処理が開始されることになる。
【００４４】
情報処理が終了すると、ソレノド１４に対する通電が停止される。これにより、ソレノイド１４による操作レバー６の吸着保持が解除され、図８に示すように、操作レバー６はスプリング８の付勢力により、反時計方向に回動される。この回動によりロックレバー２６が反時計方向に回動され、ロックレバー２６と係合ピン２９との係合が解除される。これにより、スライダ２がスプリング８の付勢力により、排出方向に移動され、途中、プルレバー１６の突起体２０が矢印６ｃで示すように操作レバー６の延出部６ａの段部６ｂの内側ガイド面６ｄに沿って通過して排出位置に至り、カードＫが排出される。
【００４５】
上記したように、回動レバー１１の上面部にカム面１１ａ，１１ａを形成し、このカム面１１ａ，１１ａにピン体４ａ，４ａを摺接させることにより、回動レバー１１を回動させて接触子１２をＩＣカードＫのＩＣ接点に接触させるため、回動レバー１１を回動させるためのカム部材を別途独立して必要とすることがなく、構成的に簡略化できる。
【００４６】
また、スライダ２が所定位置に達したときには、スライダ２の当接片３６に形成された差込片３７をサブガイド３の被差込部としての段部３８に差し込むことにより、ＩＣカードＫのＩＣ接点に接触子１２が最適な圧力で接触するようにスライダ２を位置決めするため、スライダ２が所定位置に達するまでの途中の経路においては、スライダ２の移動に遊びを持たせることができる。
【００４７】
従って、ＩＣカードＫを挿入するための力を軽減でき、軽いタッチでの挿入が可能となり、操作性が優れる。
【００４８】
【発明の効果】
本発明は以上説明したように、回動レバーにカム面を形成し、このカム面を摺接部材に摺接させることにより、回動レバーを回動させて接触子をＩＣカードのＩＣ接点に接触させるため、回動レバーを回動させるためのカム部材を別途特別に必要とすることがなく、構成的に簡略化でき、コストを低減できるとともに、小型化が可能となる。
【００４９】
また、スライダが所定位置に達したときには、ＩＣカードのＩＣ接点に接触子が最適な圧力で接触するようにスライダを位置決めするため、スライダが所定位置に達するまでの途中の経路においては、スライダの移動に遊びを持たせることができる。従って、ＩＣカードを挿入するための力を軽減でき、軽いタッチでの挿入が可能となり、操作性が優れる。
【図面の簡単な説明】
【図１】本発明の一実施の形態であるカード処理装置の内部構成を示す平面図。
【図２】カード処理装置を示す側断面図。
【図３】カード処理装置の制御系を示すブロック図。
【図４】カード処理装置内にＩＣカードが挿入されて押し込まれる状態を示す平面図。
【図５】カード処理装置内にＩＣカードが挿入されて押し込まれる状態を示す側断面図。
【図６】ＩＣカードの挿入動作が終了した状態を示す平面図。
【図７】ＩＣカードの挿入動作が終了した状態を示す側断面図。
【図８】ＩＣカードの排出方向への移動時におけるプルレバーの突起部の移動経路を示す図。
【符号の説明】
Ｋ…ＩＣカード
１…メインベース
２…スライダ
３…ガイドベース（サブベース）
４ａ，４ａ…ピン体（摺接部材）
６…操作レバー
８…スプリング
１１…回動レバー
１１ａ，１１ａ…カム面
１２…接触子
１４…ソレノイド（保持手段）
１６…プルレバー
１７…プルレバースプリング
２２…フォトセンサ
２６…ロックレバー
２７…レバースプリング
３０…フォトセンサ
３２…カード挿入口
３６…当接片
３７…差込片（位置決め手段）
３８…段部（被差込部）
４０…バネ材（付勢部材）
【図１】
0004387498.tif 000002
【図２】
0004387498.tif 000003
【図３】
0004387498.tif 000004
【図４】
0004387498.tif 000005
【図５】
0004387498.tif 000006
【図６】
0004387498.tif 000007
【図７】
0004387498.tif 000008
【図８】
0004387498.tif 000009